(57)【要約】【課題】画像の記録速度を低下させること無く、色ずれや濃度むらを低減する。【解決手段】各インクジェット記録ヘッド２３１〜２３４として、各インク吐出口の記録特性が似通ったものを用意する。そして、記録ヘッド２３１がシアンのインクを使用し、記録ヘッド２３２がマゼンタのインクを使用し、記録ヘッド２３３がイエローのインクを使用し、記録ヘッド２３４がブラックのインクを使用し、記録媒体として白色の記録紙を使用する場合、シアン、マゼンタ、イエローの有彩色は記録紙との色差が大きく、ブラックの無彩色は記録紙との色差は小さいと見る。そこで、有彩色のインクを使用する記録ヘッド２３１〜２３３は基準面が下向きとなるように配置し、無彩色のインクを使用する記録ヘッド２３４は向きを反転して基準面が上向きとなるように配置する。これにより有彩色のインクを使用する記録ヘッドの記録特性と無彩色のインクを使用する記録ヘッドの記録特性はちょうど逆になる。【選択図】    図１０
2004216728.tif 000002
【特許請求の範囲】
【請求項１】
複数の記録素子を配列した記録ヘッドを複数並べて配置し、前記各記録ヘッドはそれぞれ異なる色材を用いて記録媒体上に画像記録を行う画像記録装置において、
前記各記録ヘッドは、各記録素子の記録特性が、少なくとも１つを除く残りが略同一で、かつ、少なくとも１つが他と異なることを特徴とする画像記録装置。
【請求項２】
前記各記録ヘッドとして各記録素子の記録特性が略同一のものを用意し、前記各記録ヘッドのうちの少なくとも１つを他と記録特性が反対になるように配置したことを特徴とする請求項１記載の画像記録装置。
【請求項３】
前記各記録ヘッドは、それぞれシアン、マゼンタ、イエロー及びブラックの色材を使用して画像記録を行うことを特徴とする請求項１記載の画像記録装置。
【請求項４】
前記各記録ヘッドとして各記録素子の記録特性が略同一のものを用意し、記録媒体と色材との色差との関係から前記各記録ヘッドのうちどの記録ヘッドを記録特性が反対になるように配置するかを決定することを特徴とする請求項１記載の画像記録装置。
【請求項５】
前記各記録ヘッドとして各記録素子の記録特性が略同一のものを用意し、前記各記録ヘッドのうち、記録媒体と色材との色差の大きい記録ヘッドを記録特性が略同一となるように配置することを特徴とする請求項１記載の画像記録装置。
【請求項６】
前記各記録ヘッドとして各記録素子の記録特性が略同一のものを用意し、前記各記録ヘッドのうち、記録媒体と色材との色差の大きい記録ヘッドを記録特性が略同一となるように配置し、記録媒体と色材との色差の小さい記録ヘッドを、色差の大きい記録ヘッドとは記録特性が反対になるように配置することを特徴とする請求項１記載の画像記録装置。
【請求項７】
複数の記録素子を配列した記録ヘッドを複数並べて配置し、前記各記録ヘッドはそれぞれ異なる色材を用いて記録媒体上に画像記録を行う画像記録装置において、
前記各記録ヘッドとして各記録素子の記録特性が略同一のものを用意し、前記各記録ヘッドのうち、少なくとも２つは色相が略等しく濃度の異なる色材を使用し、この２つの記録ヘッドを記録特性が互いに反対になるように配置したことを特徴とする画像記録装置。
【発明の詳細な説明】
【０００１】
【発明の属する技術分野】
本発明は、カラーインクジェット記録装置等の画像記録装置に関する。
【０００２】
【従来の技術】
複数の記録素子を配列した記録ヘッドを複数並べて配置し、それぞれ異なる色材を用いて記録媒体上に画像記録を行う画像記録装置としては、例えば、色材としてインクを使用したカラーインクジェット記録装置が知られている。
【０００３】
カラーインクジェット記録装置は、例えば、シアン、マゼンタ、イエロー、ブラックの４色のインクを使用してフルカラーによる画像記録ができる。このような記録装置において、記録ヘッドとして記録素子、すなわち、インク吐出口を複数、ライン方向に配列したライン記録ヘッドを各インクに対応して複数並べて配置したものが知られている。この記録装置はライン方向にまとめて一括記録、例えば、１ラインを１回あるいは２回程度で一括記録ができるので記録速度の向上を図ることができる。
【０００４】
しかし、ライン記録ヘッドは、ライン方向に、例えば、１／１５０インチの間隔で径が数十μ程度のインク吐出口を多数設けるため製造工程において精密微細加工が要求され、このため、全てのインク吐出口において同じ記録特性が得られる長尺なヘッドを製造するのは非常に難しい。例えば、濃度特性が左側では高いが右側では低いヘッドとか、濃度特性がある周期性をもって変化するようなヘッドが製造される。
【０００５】
このようなインクジェットヘッドを複数、ライン方向とは直交する記録媒体の搬送方向に所定の間隔を開けて平行に並べて配置し、各ヘッドがそれぞれ異なる色のインクを吐出するカラーインクジェット記録装置においては、ヘッド間におけるインク吐出口の記録特性のバラツキから色ずれや濃度むらが発生するという問題があった。
このため、従来は、同じエリアを印字するのにヘッドを数往復させ、その間ヘッドを千鳥印字させて色ずれや濃度むらが目立たなくする方式を取っていた。
【０００６】
【発明が解決しようとする課題】
しかし、このような印字方式を取っていたのでは、画像の記録速度が低下するという問題があった。
そこで、本発明は、画像の記録速度を低下させること無く、色ずれや濃度むらを低減して画像品質を向上できる画像記録装置を提供する。
【０００７】
【課題を解決するための手段】
本発明は、複数の記録素子を配列した記録ヘッドを複数並べて配置し、各記録ヘッドはそれぞれ異なる色材を用いて記録媒体上に画像記録を行う画像記録装置において、各記録ヘッドは、各記録素子の記録特性が、少なくとも１つを除く残りが略同一で、かつ、少なくとも１つが他と異なることにある。
【０００８】
【発明の実施の形態】
以下、本発明の一実施の形態を、図面を参照して説明する。なお、この実施の形態は本発明をカラーインクジェット記録装置に適用したものについて述べる。
【０００９】
図１は、カラーインクジェット記録装置の機構部を示す図で、本体ケース１１内に、一定の周速度で図中矢印方向に回転するドラム１２を設け、このドラム１２に給紙ローラ１３，１４を介して給紙される記録紙などの記録媒体１５を巻付けるようになっている。
【００１０】
すなわち、前記本体ケース１１の底部に給紙カセット１６を設け、この給紙カセット１６の載置板１７の上に載置した記録媒体１５を給送ローラ１８により１枚ずつ取出して前記給紙ローラ１３，１４に給送し、また、前記本体ケース１１の側方に開閉自在に装着した手差トレイ１９から手差した記録媒体１５を給送ローラ２０により前記給紙ローラ１３，１４に給送するようになっている。前記給送ローラ１８による給送と前記給送ローラ２０による給送の切替えを給送切替え手段２１で行っている。
【００１１】
前記ドラム１２には、前記給紙ローラ１３，１４から給紙される記録媒体１５をドラム面に吸着させる帯電ローラ２２が対向配置されている。また、前記ドラム１２には、ライン状に多数の記録素子を配列した４本のインクジェット記録ヘッド２３１，２３２，２３３，２３４が対向配置されている。前記各インクジェット記録ヘッド２３１〜２３４は、印字機構２４に組み込まれ、その記録素子の配列方向である前記ドラム１２の回転軸方向に移動自在になっている。
従って、前記記録媒体１５はドラム１２の回転によりインクジェット記録ヘッド２３１〜２３４の記録素子の配列方向と略直交する方向に搬送されることになる。
【００１２】
前記各インクジェット記録ヘッド２３１〜２３４は、記録ヘッド２３１がシアン（Ｃ）インクを吐出し、記録ヘッド２３２がマゼンタ（Ｍ）インクを吐出し、記録ヘッド２３３がイエロー（Ｙ）インクを吐出し、記録ヘッド２３４がブラック（Ｋ）インクを吐出するもので、前記ドラム１２に巻き付けられて搬送される記録媒体１５の、搬送方向の上流から、記録ヘッド２３１、記録ヘッド２３２、記録ヘッド２３３、記録ヘッド２３４の順に、所定の間隔をあけて平行に配置されている。
前記各インクジェット記録ヘッド２３１〜２３４は、図２に示すように、記録素子として多数のインク吐出口２３ａを所定のピッチｄで配置している。
【００１３】
前記印字機構２４は、前記各インクジェット記録ヘッド２３１〜２３４を載置した往復移動機構２５と、往復移動ロッド及びリニアモータを有するモータユニット２６と、進退移動手段２７からなり、前記進退移動手段２７により前記各インクジェット記録ヘッド２３１〜２３４を前記ドラム１２の周面に対して進退移動させるようになっている。また、前記モータユニット２６により前記往復移動機構２５をドラム１２の回転軸方向に移動制御して前記各インクジェット記録ヘッド２３１〜２３４をドラム１２の回転軸方向、すなわち、記録のライン方向に往復移動させるようになっている。
【００１４】
また、前記ドラム１２には、このドラム面と記録媒体１５との間に挿入可能な剥離爪２８が配置され、この剥離爪２８によって剥離した記録媒体１５を記録媒体排出搬送機構２９に排出するようになっている。前記記録媒体排出搬送機構２９は、記録媒体１５の非記録面に接するベルトコンベア３０と前記記録媒体１５をベルトコンベア３０の面に押圧する押圧手段３１とで構成している。
【００１５】
前記ベルトコンベア３０の終端部に、このベルトコンベア３０により搬送される記録媒体１５を、前記本体ケース１１の上部に形成した上部排出トレイ３２に排出するか、前記本体ケース１１の側面に設けた着脱自在な排出トレイ３３に排出するかを切替える、方向切替え器３４を設けている。
【００１６】
前記本体ケース１１内には、各部に回転駆動を与えるメインモータ３５、インク供給源となるインクカセット３６、このインクカセット３６からのインクを一時蓄えるインクバッファ３７、このインクバッファ３７のインクを前記各インクジェット記録ヘッド２３１〜２３４に供給するインク供給チューブ３８等が収納されている。
【００１７】
前記各インクジェット記録ヘッド２３１〜２３４のインク吐出口２３ａからのインク吐出体積は、図３に示すように、ヘッド駆動部への通電時間ｔを可変することで可変でき、通電時間ｔと吐出体積の変化が比例するｔ１〜ｔ２間の通電時間を、例えば７分割制御することで、図４に示すように、１階調から７階調までのドット記録を行うようになっている。そして、これにインク吐出を行わない０階調を含めて８階調の画像記録制御ができるようになっている。なお、点線の四角は１ピクセルの大きさを示している。
【００１８】
このような構成のカラーインクジェット記録装置は、記録時には、例えば、給紙カセット１６から給紙ローラ１８により記録媒体１５を取出して給紙ローラ１３、１４に送出する。そして、給紙ローラ１３、１４により記録媒体１５を回転するドラム１２に給送し、巻き付ける。すなわち、記録媒体１５は帯電ローラ２２によりドラム１２の表面に吸着され巻き付けられる。
【００１９】
ドラム１２の回転により記録媒体１５は、各インクジェット記録ヘッド２３１〜２３４の配列方向に回転移動し、各インクジェット記録ヘッド２３１〜２３４の各インク吐出口から記録媒体１５に画像信号に基づいて所定のタイミングで選択的に対応する色のインクを吐出してカラー画像記録を行う。
【００２０】
図５は、システム全体の構成を示すブロック図で、ホストコンピュータ４１とカラーインクジェット記録装置４２をケーブル４３によって接続している。そして、ホストコンピュータ４１からカラーインクジェット記録装置４２にカラー画像信号を転送するようになっている。
【００２１】
前記カラーインクジェット記録装置４２は、制御部本体を構成するＣＰＵ（中央処理装置）４２１、前記ＣＰＵ４２１が処理を行うときのワークメモリや画像信号を一時保存する一時保存メモリ等を設けたＲＡＭ（ランダム・アクセス・メモリ）４２２、前記ＣＰＵ４２１が各部を制御するプログラムデータ等を格納したＲＯＭ（リード・オンリー・メモリ）４２３、前記ホストコンピュータ４１とのデータの送受信を行うインターフェース４２４、印字機構部４２５を接続したＩ／Ｏポート４２６を設けている。
【００２２】
前記印字機構部４２５は、前記各インクジェット記録ヘッド２３１〜２３４を備えた記録ヘッド部４２７及びこの記録ヘッド部４２７の各インクジェット記録ヘッド２３１〜２３４を駆動するヘッド駆動部４２８を設けている。なお、前記印字機構部４２５には、前述した印字機構２４を備えているのは勿論である。
【００２３】
前記ＣＰＵ４２１は、印字機構部４２５を制御して印字を行う。すなわち、前記ＣＰＵ４２１は、ホストコンピュータ４１からカラー画像信号を取込むと、この画像信号をＲＡＭ４２２で一時保存した後、画像処理を施して印字機構部４２５へ供給し、印字機構部４２５にカラー画像記録動作を行わせるようにしている。
【００２４】
図６は、前記ＲＯＭ４２３に格納された画像処理プログラムが実行する画像処理機能を機能ブロックで示したもので、例えば、各色８ビットの、モニタなどで標準的なＲＧＢ画像信号を色変換処理部５１に入力し、この色変換処理部５１で、このカラーインクジェット記録装置４２が色再現するＣＭＹ色に変換する。
【００２５】
次に、ＵＣＲ処理部５２において、ＣＭＹ色から墨成分を抽出し、かつその後のＣＭＹ色を決定し、最終的にＣＭＹＫ色に変換する。次に、階調補正部５３において、γ補正を行う。すなわち、記録装置４２の実質出力特性に応じた濃度補正を行う。そして最後に、疑似階調処理部５４において、各色毎に、１画素の画像信号をこの記録装置４２の印字能力、例えば、８階調に合わせた３ビットの多値画像信号Ｃ′Ｍ′Ｙ′Ｋ′に変換して出力する。
【００２６】
インクジェット記録ヘッドの記録特性は、製造工程によってある程度決まる場合が多い。例えば、ノズル番号が１〜ＮのＮ個のインク吐出口を持っているインクジェット記録ヘッドにおいて、ノズル番号１〜Ｎに対して、記録濃度特性が図７に示すように直線的に変化するものや、逆に図８に示すように直線的に変化するものがある。なお、これに限らず記録濃度特性が曲線状に変化するものもある。
【００２７】
そこで、前記各インクジェット記録ヘッド２３１〜２３４を並べて配置する場合に、図９に示す流れに従って仕分けし配置する。すなわち、ステップＳ１にて、記録ヘッドを製造し記録特性を検査する。続いて、ステップＳ２にて、記録ヘッドを仕分けする。すなわち、記録特性の似通ったヘッド同士を仕分ける。なお、製造ロットが同一であれば記録ヘッド内のインク吐出口間の記録特性にバラツキはあっても記録ヘッド間では似通った記録特性になる。従って、ロット単位で仕分けしてもよい。
【００２８】
続いて、ステップＳ３にて、各記録ヘッドに用いる色材、すなわちインクの色を決定する。ここでは、どの記録ヘッドをシアンインクにするか、マゼンタインクにするか、イエローインクにするか、ブラックインクにするかを決定する。続いて、ステップＳ４にて、記録媒体の決定を行う。ここでは、記録媒体を白色の記録紙に決定する。
続いて、ステップＳ５にて、決定した色材と記録媒体との色差からヘッド配置の向きを決定する。そして、ステップＳ６にて、決定した向きに応じて記録ヘッドを配置する。
【００２９】
このようにして配置した記録ヘッドの具体例を示すと図１０に示すようになる。すなわち、前記各インクジェット記録ヘッド２３１〜２３４として、各インク吐出口の記録特性が似通ったものを用意する。そして、記録ヘッド２３１がシアンＣのインクを使用し、記録ヘッド２３２がマゼンタＭのインクを使用し、記録ヘッド２３３がイエローＹのインクを使用し、記録ヘッド２３４がブラックＫのインクを使用するので、記録ヘッド２３１〜２３３は同一方向に配置し、記録ヘッド２３４は向きを反転して配置する。この場合、各記録ヘッド２３１〜２３４の基準面が決まっているので、常に基準面が基板に接するように配置する。また、各記録ヘッド２３１〜２３４のインク吐出口間の距離は略等しく調整される。なお、微調整は電気的にタイミングを調整することによって行われる。
【００３０】
すなわち、ここでは、記録媒体１５として白色の記録紙を使用するので、シアン、マゼンタ、イエローの有彩色は記録紙との色差が大きく、ブラックの無彩色は記録紙との色差は小さい。従って、有彩色のインクを使用するインクジェット記録ヘッド２３１〜２３３は基準面が下になるように同一方向に配置し、無彩色のインクを使用するインクジェット記録ヘッド２３４は基準面が上になるように向きを反転して配置する。これにより、インクジェット記録ヘッド２３４の各インク吐出口による記録特性は他のインクジェット記録ヘッド２３１〜２３３の各インク吐出口による記録特性とはちょうど反対になる。
【００３１】
このように各インクジェット記録ヘッド２３１〜２３４を配置することで、シアン、マゼンタ、イエローの有彩色を重ねて記録するカラー画像においてはヘッド間でのインク吐出口の記録特性が似通っているので色ずれが起こりにくい。すなわち、カラー画像の色ずれを極力抑えることができる。
【００３２】
また、有彩色とブラックの無彩色を重ねて使用することで、有彩色のみではヘッド間でのインク吐出口の記録特性が似通っているのでこの記録特性による濃度むらが発生するが、これに反対の記録特性をもつインクジェット記録ヘッド２３４からのブラックを重ねることで全体として濃度むらが解消される。
【００３３】
このように、カラー画像の色ずれを極力抑えることができ、また、濃度むらも解消できるので、全体して画像品質を向上できる。そして、色ずれや濃度むらを解消するのにヘッドを数往復させてヘッドを千鳥印字させるような時間を要する制御を行う必要が無く、画像の記録速度が低下することはない。
【００３４】
なお、ここでは、有彩色のインクを使用するインクジェット記録ヘッド２３１〜２３３と無彩色のインクを使用するインクジェット記録ヘッド２３４とをその基準面が逆になるように配置したが、必ずしもこれに限定するものではない。
【００３５】
以下、インクジェット記録ヘッドの配置の変形例について述べる。
【００３６】
例えば、図１１に示すように、イエローについてブラックと同様、記録紙との色差は小さいと見ても良い。すなわち、イエローについては他の有彩色との間で多少の色ずれが生じても目立たないと判断できる。そこで、イエローのインクを使用するインクジェット記録ヘッド２３３は基準面が上になるように向きを反転して配置する。これにより、インクジェット記録ヘッド２３３、２３４の各インク吐出口による記録特性は他のインクジェット記録ヘッド２３１、２３２の各インク吐出口による記録特性とはちょうど反対になる。
【００３７】
このように各インクジェット記録ヘッド２３１〜２３４を配置することで、記録紙との色差が大きいシアン、マゼンタにおいてはヘッド間でのインク吐出口の記録特性が似通っているので色ずれが起こりにくい。また、イエローは記録紙との色差が小さいのであまり目立たない。従って、全体としてカラー画像の色ずれを抑えることができる。
【００３８】
また、イエローのインクを使用するインクジェット記録ヘッド２３３の記録特性はシアン、マゼンタのインクを使用するインクジェット記録ヘッド２３１、２３２の記録特性とはちょうど反対の記録特性を持つので全体としてカラー画像の濃度むらが解消される。なお、ブラックのインクを重ねた場合は前述した実施の形態と同様に濃度むらが解消される。
従って、この場合においても前述した実施の形態と同様の作用効果が得られるものである。
【００３９】
また、記録媒体１５として赤色の記録紙を使用する場合は、各インクジェット記録ヘッド２３１〜２３４は図１２に示すように配置される。すなわち、シアンのインクとイエローのインクはマゼンタのインクやブラックのインクに比べて記録紙との色差が大きいと見ることができるので、シアンのインクを使用するインクジェット記録ヘッド２３１とイエローのインクを使用するインクジェット記録ヘッド２３３はその基準面が下になるように同一方向に配置し、マゼンタのインクを使用するインクジェット記録ヘッド２３２とブラックのインクを使用するインクジェット記録ヘッド２３４は基準面が上になるように向きを反転して配置する。
【００４０】
このように各インクジェット記録ヘッド２３１〜２３４を配置することで、記録紙との色差が大きいシアン、イエローにおいてはヘッド間でのインク吐出口の記録特性が似通っているので色ずれが起こりにくい。また、マゼンタは記録紙との色差が小さいのであまり目立たない。従って、全体としてカラー画像の色ずれを抑えることができる。
【００４１】
また、マゼンタのインクを使用するインクジェット記録ヘッド２３２の記録特性はシアン、イエローのインクを使用するインクジェット記録ヘッド２３１、２３３の記録特性とはちょうど反対の記録特性を持つので全体としてカラー画像の濃度むらが解消される。なお、ブラックのインクを重ねた場合は前述した実施の形態と同様に濃度むらが解消される。
従って、この場合においても前述した実施の形態と同様の作用効果が得られるものである。
【００４２】
なお、この実施の形態においては、シアン、マゼンタ、イエロー、ブラックの４色のインクを使用する４個のインクジェット記録ヘッドを配置したカラーインクジェット記録装置に適用したものについて述べたがこれに限定するものではない。
【００４３】
例えば、４色の記録ヘッドの他に、シアンとは色相が略等しく濃度の異なる色材であるライトシアンのインクを使用するインクジェット記録ヘッド及びマゼンタとは色相が略等しく濃度の異なる色材であるライトマゼンタのインクを使用するインクジェット記録ヘッドを配置したカラーインクジェット記録装置にも適用できる。
【００４４】
すなわち、図１３に示すように、シアンのインクを使用するインクジェット記録ヘッド２３１とマゼンタのインクを使用するインクジェット記録ヘッド２３２との間にライトシアンのインクを使用するインクジェット記録ヘッド２３５を配置し、マゼンタのインクを使用するインクジェット記録ヘッド２３２とイエローのインクを使用するインクジェット記録ヘッド２３３との間にライトマゼンタのインクを使用するインクジェット記録ヘッド２３６を配置する。
【００４５】
そして、インクジェット記録ヘッド２３１が基準面を下にして配置するのに対し、インクジェット記録ヘッド２３５は基準面を上にして配置する。すなわち、インクジェット記録ヘッド２３１とインクジェット記録ヘッド２３５とはそのインク吐出口の記録特性がちようど逆になる。
【００４６】
また、インクジェット記録ヘッド２３２が基準面を下にして配置するのに対し、インクジェット記録ヘッド２３６は基準面を上にして配置する。すなわち、インクジェット記録ヘッド２３２とインクジェット記録ヘッド２３６とはそのインク吐出口の記録特性がちようど逆になる。
【００４７】
このような６色のインクを使用することでカラー記録画像の品質は勿論、階調性も向上する。シアンのインクに対してライトシアンのインクは、色相は殆ど同じであるが濃度が異なる。これは、マゼンタのインクに対するライトマゼンタのインクの場合も同様である。
【００４８】
記録媒体が白の記録の場合、シアン、マゼンタ、イエローのインクは記録紙に対する色差が大きいが、ブラックのインクは記録紙に対する色差が小さい。
従って、全体として、各インクジェット記録ヘッド２３１〜２３６の配置は図１３に示すようになる。
【００４９】
このようにシアンのインクを使用するインクジェット記録ヘッド２３１に対し、ライトシアンのインクを使用するインクジェット記録ヘッド２３５の各インク吐出口による記録特性が反対になり、また、マゼンタのインクを使用するインクジェット記録ヘッド２３２に対し、ライトマゼンタのインクを使用するインクジェット記録ヘッド２３６の各インク吐出口による記録特性が反対になっているので、全体的なインク量バランスが改善され、この点においても濃度むらが低減される。
【００５０】
なお、シアン、マゼンタ、イエロー、ブラックのインクを使用する各インクジェット記録ヘッド２３１〜２３４間の記録特性による作用効果は前述した実施の形態と同様である。
なお、前述した各実施の形態においては、同一の記録特性を有する複数のインクジェット記録ヘッドを用意し、その一部についてインクジェット記録ヘッドの基準面を反転して反対の記録特性を得るようにしたが必ずしもこれに限定するものではなく、記録特性が逆になっているインクジェット記録ヘッドを用意し、これを他のインクジェット記録ヘッドと基準面の方向を揃えて配置するようにしてもよい。
【００５１】
【発明の効果】
以上詳述したように本発明によれば、画像の記録速度を低下させること無く、画像の記録速度を向上できる画像記録装置を提供できる。
【図面の簡単な説明】
【図１】本発明の一実施の形態におけるカラーインクジェット記録装置の機構部を示す図。
【図２】同実施の形態におけるインクジェット記録ヘッドのインク吐出口を示す図。
【図３】同実施の形態におけるヘッド駆動部への通電時間とインクの吐出体積との関係を示すグラフ。
【図４】同実施の形態における階調とドットサイズとの関係を示す図。
【図５】同実施の形態におけるシステム全体の構成を示すブロック図。
【図６】同実施の形態における画像処理機能の機能ブロック図。
【図７】同実施の形態におけるインクジェット記録ヘッドの記録濃度特性の一例を示す図。
【図８】同実施の形態におけるインクジェット記録ヘッドの記録濃度特性の他例を示す図。
【図９】同実施の形態においてインクジェット記録ヘッドを製造し、それを記録装置に配置する工程を示す流れ図。
【図１０】同実施の形態におけるインクジェット記録ヘッドの配置を示す図。
【図１１】同実施の形態におけるインクジェット記録ヘッドの配置の変形例を示す図。
【図１２】同実施の形態におけるインクジェット記録ヘッドの配置の変形例を示す図。
【図１３】本発明の、他の実施の形態におけるインクジェット記録ヘッドの配置を示す図。
【符号の説明】
１５…記録媒体、２３１〜２３４…インクジェット記録ヘッド。
【図１】
2004216728.tif 000003
【図２】
2004216728.tif 000004
【図３】
2004216728.tif 000005
【図４】
2004216728.tif 000006
【図５】
2004216728.tif 000007
【図６】
2004216728.tif 000008
【図７】
2004216728.tif 000009
【図８】
2004216728.tif 000010
【図９】
2004216728.tif 000011
【図１０】
2004216728.tif 000012
【図１１】
2004216728.tif 000013
【図１２】
2004216728.tif 000014
【図１３】
2004216728.tif 000015